(57)【要約】直列に接続されるＮ個の電池セルで構成される組電池２００と、電池セルの端子電位に応じたアナログ信号を取得する（Ｎ＋１）個の測定線ＤＬと、入力される複数のアナログ信号の特定の周波数成分を減衰させて出力するフィルタ回路３００と、フィルタ回路３００から出力されるアナログ信号をデジタル信号に変換するアナログデジタル変換器４６０と、を備える。フィルタ回路３００は、（Ｎ＋１）個の入力端子３１０と、（Ｎ＋１）個の出力端子３２０と、（Ｎ＋１）個のフィルタ抵抗３４０と、一端がフィルタ抵抗３４０と出力端子３２０の間に接続され、他端が互いに共通に接続される（Ｎ＋１）個のフィルタコンデンサ３６０と、から構成される。
2015162937.tif 000002
【特許請求の範囲】
【請求項１】
直列に接続されるＮ（Ｎは任意の自然数）個の電池セルで構成される組電池と、  各々の電池セルの端子電位に応じたアナログ信号を取得する（Ｎ＋１）個の測定線と、  前記（Ｎ＋１）個の測定線を介して入力される複数のアナログ信号を、所定の周波数成分を減衰させて出力するフィルタ回路と、該フィルタ回路から出力されるアナログ信号をデジタル信号に変換するアナログデジタル変換器と、を備え、  前記フィルタ回路は、    前記（Ｎ＋１）個の測定線が接続される（Ｎ＋１）個の入力端子と、    前記（Ｎ＋１）個の入力端子に対応して設けられる（Ｎ＋１）個の出力端子と、    同一の抵抗値を有する（Ｎ＋１）個のフィルタ抵抗であって、各々の入力端子と各々の出力端子とを接続するように設けられる（Ｎ＋１）個のフィルタ抵抗と、    同一のキャパシタンスを有する（Ｎ＋１）個のフィルタコンデンサと、を含み、  前記（Ｎ＋１）個のフィルタコンデンサは、それぞれ、一端が各々の前記フィルタ抵抗と各々の前記出力端子の間に接続され、他端が互いに共通に接続されることを特徴とする電源装置。
【請求項２】
請求項１に記載の電源装置であって、  各々のフィルタコンデンサは、少なくとも一つのコンデンサ素子を含み、  各々のフィルタ抵抗は、少なくとも一つの抵抗器を含むことを特徴とする電源装置。
【請求項３】
請求項１または請求項２に記載の電源装置であって、  前記フィルタ回路は、グランドに対してフローティングされることを特徴とする電源装置。
【発明の詳細な説明】
【技術分野】
【０００１】  本発明は、複数の電池セルが直列に接続された組電池と、各々の電池セルの電圧を検出する電圧検出部を備えた電源装置に関する。
【背景技術】
【０００２】  複数の電池セルで構成される組電池を備えた電源装置では、過充電や過放電等の電池セルの異常な状態を回避するために、各々の二次電池セルの電圧や温度等を状態監視部が常時監視している。特に、複数の電池セルが直列に接続された組電池を使用する場合、状態監視部として、各々の電池セルの電圧を検出するための電圧検出部が設けられる。検出される各々の電池セルの電圧は、充放電制御などに使用される。【０００３】  電圧検出部は、組電池を構成する各々の電池セルの端子電位を取得し、差動増幅器やアナログデジタル変換器を介して、各々の電池の電圧を検出する。このとき、アナログデジタル変換器に入力される入力信号の周波数と、アナログデジタル変換器のサンプリング周波数の関係によっては、電圧検出の精度が低下することがある。具体的には、アナログデジタル変換器に入力されるアナログ信号の最大周波数が、サンプリング周波数の半分の値（ナイキスト周波数）を超えないようにする必要がある。アナログ信号にナイキスト周波数を超える周波数成分があると、入力信号が重なり合ってしまう。入力信号が重なり合うと、アナログデジタル変換器の出力信号は、不要な信号情報（エイリアシング誤差）を含んだデジタル信号となり、デジタル信号の精度が低下する問題が生じる。【０００４】  この問題を解決する方法として、アナログデジタル変換器と各々の電池セルの間に設けられるフィルタ回路を備える構成の電源装置が知られている（特許文献１）。特許文献１のフィルタ回路は、ローパスフィルタであり、各々の電池セルの電位に対応するアナログ信号がフィルタ回路に入力されると、それぞれの入力信号に対して、遮断周波数以上の周波数の信号を減衰させてアナログデジタル変換器へ出力する。この構成により、アナログデジタル変換器へ入力されるアナログ信号の最大周波数を低減することができ、エイリアシング誤差の発生を防止するようになっている。【０００５】  特許文献１の電源装置は、各々のコンデンサの容量や各々の抵抗器の抵抗値を最適な値に設定することで、電池モジュール間に接続される抵抗器が共通としながら、フィルタ回路の各々の出力の周波数応答を均一にすることができるようになっている。このように、精度の高い電圧検出を行うためには、フィルタ回路は、各々の出力の周波数応答を揃える必要がある。
【先行技術文献】
【特許文献】
【０００６】
【特許文献１】特開２００９−１５０８６７号公報
【発明の概要】
【発明が解決しようとする課題】
【０００７】  上述の通り、フィルタ回路の周波数応答は、フィルタ回路を構成するコンデンサおよび抵抗器の回路定数によって決まる。標準化されているコンデンサ（汎用品のコンデンサ）の種類は、抵抗器と比べて限られているので、実際にフィルタ回路を設計する場合には、選択したコンデンサのキャパシタンスに合せて、抵抗器の抵抗値でフィルタ回路の周波数応答を調整することになる。【０００８】  しかしながら、特許文献１の構成では、各々のコンデンサの容量が電池モジュールの直列数や対応する電池モジュールの位置に応じて異なっており、その最適な値も演算によって決まる。そのため、接続する電池セルの直列数に応じて、容量の異なるコンデンサを多数用意する必要がある。各々のコンデンサのキャパシタンスは、演算によって最適値が決まるため、必ずしも演算した最適値と一致するキャパシタンスのコンデンサが標準化されているとは限らない。特許文献１の電源装置には、演算した最適値と一致する容量のコンデンサがなければ、特性が近いコンデンサで代用することになり、フィルタ回路の各々の出力の周波数応答にずれが生じる問題がある。【０００９】  本発明は、斯かる状況を鑑みてなされたものであり、その主な目的は、フィルタ回路の各々の出力の周波数応答を容易に揃えることができる技術を提供することにある。
【課題を解決するための手段】
【００１０】  上記課題を解決するために、本発明のある態様の電源装置は、直列に接続されるＮ（Ｎは任意の自然数）個の電池セルで構成される組電池と、各々の電池セルの端子電位に応じたアナログ信号を取得する（Ｎ＋１）個の測定線と、前記（Ｎ＋１）個の測定線を介して入力される複数のアナログ信号を、所定の周波数成分を減衰させて出力するフィルタ回路と、該フィルタ回路から出力されるアナログ信号をデジタル信号に変換するアナログデジタル変換器と、を備えている。前記フィルタ回路は、前記（Ｎ＋１）個の測定線が接続される（Ｎ＋１）個の入力端子と、前記（Ｎ＋１）個の入力端子に対応して設けられる（Ｎ＋１）個の出力端子と、同一の抵抗値を有する（Ｎ＋１）個のフィルタ抵抗であって、各々の入力端子と各々の出力端子とを接続するように設けられる（Ｎ＋１）個のフィルタ抵抗と、同一のキャパシタンスを有する（Ｎ＋１）個のフィルタコンデンサとを含んでいる。（Ｎ＋１）個のフィルタコンデンサは、それぞれ、一端が各々のフィルタ抵抗と各々の出力端子の間に接続され、他端が互いに共通に接続される。
【発明の効果】
【００１１】  本発明のある態様によれば、略同一のキャパシタンスを有するフィルタコンデンサと、略同一の抵抗値を有するフィルタ抵抗を用いて、各々の出力の周波数応答が揃うフィルタ回路を構成することができるので、各々の出力の周波数応答が揃ったフィルタ回路を、標準化されている回路定数（キャパシタンスや抵抗値等）の回路素子を用いて形成することができる。
【図面の簡単な説明】
【００１２】
【図１】本発明のある態様の電源装置の構成を示す回路図である。
【図２】本発明のある態様のフィルタ回路の構成を示す回路図である。
【図３】図３Ａ、図３Ｂおよび図３Ｃは、本発明のある態様のフィルタ回路の入出力比を説明するための回路図である。具体的には、図３Ａは、ある態様のフィルタ回路の回路図であり、図３Ｂは、図３Ａにおいて、電位が高いほうから数えて２番目の電池セルからの入力電圧Ｖ２ｉｎに対する出力に着目した場合の図３Ａの等価回路であり、図３Ｃは、図３Ｂにおいて同電位となるノードを整理して図示した等価回路である。
【発明を実施するための形態】
【００１３】  図１は、本発明の実施の形態に係る電源装置１００の概要を模式的に示す回路図である。実施の形態に係る電源装置１００は、車両や蓄電装置に搭載される電源として備えられる複数の組電池２００と、組電池２００からアナログ信号を取得し、所定の遮断周波数を越える周波数成分を減衰させて出力するフィルタ回路３００と、フィルタ回路３００が出力するアナログ信号が入力され、入力されるアナログ信号を基に組電池２００の状態を監視する状態監視部４００と、を備える。フィルタ回路３００は、組電池２００ごとに設けられており、複数の入力端子３１０と複数の出力端子３２０を有している。さらに、電源装置１００は、フィルタ回路３００の各々の入力端子３１０と、対応する組電池２００を構成する電池セルの電極端子を接続する測定線ＤＬを備えている。
【００１４】  状態監視部４００は、複数のフィルタ回路３００の各々の出力が入力され、任意の出力を選択するスイッチ部４２０と、スイッチ部４２０が選択した出力が入力される差動増幅回路４４０と、アナログデジタル変換器４６０とを含む。スイッチ部４２０は、各々の入力を周期的に選択して出力する切替回路であり、測定値と検出対象の電池セルを関係付けることができるようになっている。差動増幅回路４４０は、入力されたアナログ信号を増幅して出力し、アナログデジタル変換器４６０へ入力する。
【００１５】  アナログデジタル変換器４６０は、所定のサンプリング周期で、入力されるアナログ信号をデジタル信号へ変換して出力する。アナログ信号を所定のサンプリング周期（ｆｓ）でサンプリングすると、アナログ信号の周波数（ｆｉ）に対して、新たに差の周波数信号（ｆｓ−ｆｉ）と和の周波数信号（ｆｓ＋ｆｉ）が生じる。従って、サンプリング周期が短くなると、アナログ信号の周波数ｆｉと差の周波数信号（ｆｓ−ｆｉ）とが重なりあってしまうおそれがある。実際には、組電池を構成する電池セルのから取得するアナログ信号は、さまざまな周波数成分を有するスペクトルとなるが、その最大周波数成分ｆｉｍａｘに対して、差の周波数信号が小さくなるような（ｆｓ−ｆｉｍａｘ≦ｆｉｍａｘ）サンプリング周波数が設定されると、検出信号のスペクトルが重なり合い、アナログデジタル変換器４６０のデジタル信号出力にノイズが混入してしまう。
【００１６】  一般的には、アナログ信号をサンプリングしてデジタル信号へ変換する場合、上述のようなノイズの混入を防ぐ目的で、サンプリング周波数を充分な速度になるように設定される。サンプリング周波数の１／２の周波数は、特にナイキスト周波数と呼ばれており、具体的には、このナイキスト周波数がアナログ信号の最高周波数成分よりも大きくなるように、サンプリング周期を設定する必要がある。アナログデジタル変換器４６０のサンプリング周期を短くすることで、ノイズの混入を容易に防止することができるが、サンプリング周期が極端に短いと、サンプリングされるデータ量が増大する問題がある。特に、サンプリングしたデータを使って、演算処理を行う場合、データ量が膨大になると演算にかかる時間が増大するため、サンプリング速度を高速化する構成には限界がある。
【００１７】  フィルタ回路３００は、電圧検出回路を実現する測定器やＡ／Ｄ変換ボードの制限等により、アナログデジタル変換器４６０のサンプリング周期を充分な速度に設定できないような場合に有効である。フィルタ回路３００は、上述の通り、ローパスフィルタであり、測定線ＤＬから取得するアナログ信号に対して、遮断周波数以上の周波数の信号を減衰させる。それにより、アナログデジタル変換器４６０へ入力する信号の最高周波数成分がナイキスト周波数を上回ることを抑制することができるようになっている。
【００１８】  本願発明の電源装置のように、車両や蓄電装置へ搭載される組電池の場合は、組電池から取得する測定値を使って、各々の電池セルのＳＯＣ（充電率）や劣化度を演算するため、サンプリング速度はあまり速くできない。従って、フィルタ回路は、実質的に必須の構成であるが、フィルタ回路は、多数の抵抗器とコンデンサ素子を必要であり、電源装置のコスト増加が問題となる。電源装置のコストを低減するためには、コンデンサの耐圧抑制や、配線の共通化が有効である。
【００１９】  図２は、本願発明のある態様におけるフィルタ回路の構成を示す回路図である。組電池２００は、直列に接続される三つの電池セルを有する。電源装置１００は、アナログ信号を取得するための四つの測定線ＤＬを有しており、各々の電池セルの電極端子に、測定線ＤＬが接続される。フィルタ回路３００は、各々の測定線ＤＬが接続される四つの入力端子３１０と、各々の入力端子３１０に対応して設けられる四つの出力端子３２０と、を備える。フィルタ回路３００は、さらに、各々の入力端子３１０と各々の出力端子３２０とを接続するように設けられる四つのフィルタ抵抗３４０と、一端が各々のフィルタ抵抗３４０と各々の出力端子３２０の間に接続される三つのフィルタコンデンサ３６０と、各々のフィルタコンデンサ３６０の他端が接続される共通ラインＢＬと、を備える。また、共通ラインＢＬは、グランドに対してフローティングされている。なお、ここでいう「フローティング」とは、グランドに対して共通ラインＢＬの電位が独立している状態を指すものとする。
【００２０】  この構成によると、各々の出力端子３２０は、隣接する出力端子３２０に対して、直列接続される二つのフィルタコンデンサ３６０を介して接続される。図２のフィルタ回路３００において、各々のフィルタコンデンサ３６０は、同一のキャパシタンスである。また、各々のフィルタ抵抗３４０は、同一の抵抗値を有する。
【００２１】  なお、図２において、各々のフィルタコンデンサ３６０は、一つのコンデンサ素子で構成され、各々のフィルタ抵抗３４０は、一つの抵抗器で構成される回路図を図示しているが、複数の回路素子を用いてフィルタコンデンサ３６０あるいはフィルタ抵抗３４０を実現することもできる。
【００２２】  また、フィルタ回路３００は、ＩＣではなく回路基板に実装される回路素子の組み合わせによって実現できるので、必ずしも部材としての入力端子３１０や出力端子３２０を有する必要はない。例えば、電池セルの電極端子とフィルタ回路３００や、フィルタ回路３００と状態監視部４００は、リード線や回路基板のパターンによってシームレスに接続される場合もあるが、本明細書における入力端子３１０あるいは出力端子３２０とは、このような構成も含むことは当業者に理解されるところである。
【００２３】  次に図２に例示するフィルタ回路の周波数応答について説明する。図２に例示する本願発明のある態様のフィルタ回路は、一般化すると以下のような構成となる。
【００２４】  組電池２００は、任意の自然数（正の整数）となるＮ個の電池セルが直列に接続される。組電池２００には、（Ｎ＋１）個の測定線ＤＬが接続されており、Ｎ個の電池セルのそれぞれの電極端子に測定線ＤＬが接続される。フィルタ回路３００は、（Ｎ＋１）個の入力端子３１０と（Ｎ＋１）個の出力端子３２０とを有しており、各々の測定線ＤＬが対応する入力端子３１０に接続される。フィルタ回路３００は、（Ｎ＋１）個のフィルタ抵抗３４０を有しており、各々のフィルタ抵抗３４０は、対応する入力端子３１０と出力端子３２０とを接続するように設けられる。また、フィルタ回路３００は、（Ｎ＋１）個のフィルタコンデンサ３６０を有しており、各々のフィルタコンデンサ３６０は、一端が各々のフィルタ抵抗３４０と各々の出力端子３２０の間に接続され、他端が共通ラインＢＬに接続される。
【００２５】  図３は、本発明のある態様の実施形態における周波数応答の導出方法を説明するための回路図である。具体的には、上述の一般化した回路構成において、Ｎ＝４のフィルタ抵抗について図示している。図３Ａにおいて、四つの電池セルのうち、電位が高いほうから数えて２番目の電池セルからの入力電圧Ｖ２ｉｎに着目する。交流成分で考える必要があるので、フィルタコンデンサ３６０については、複素数の直交成分表示で表現されるインピーダンスＺを用いる。インピーダンスＺは、次の数式で表される。なお、ｊは複素数、ωは角周波数、Ｃはフィルタコンデンサ３６０のキャパシタンスである。
【００２６】
【数１】
2015162937.tif 000003
上述の通り、本発明の実施形態において、各々のフィルタ抵抗３４０の抵抗値Ｒは同一であり、各々のフィルタコンデンサ３６０のインピーダンスＺも同一であるので、着目している電池セル以外の電圧変動は、着目している電池セルに対応するフィルタ回路３００の出力電圧Ｖ２ｆｉｌに影響を与えない。従って、図３Ａは、図３Ｂと実質的に同じとなる。
【００２７】  図３Ｂを整理すると図３Ｃとなる。具体的には、フィルタ抵抗３４０とフィルタコンデンサ３６０が直列に接続されてＲＣ回路を構成し、２並列のＲＣ回路と３並列のＲＣ回路が直列に接続される。２並列のＲＣ回路の合成インピーダンスＺ２は、Ｚ２＝（Ｒ＋Ｚ）／２となる。３並列のＲＣ回路の合成インピーダンスＺ３は、Ｚ３＝（Ｒ＋Ｚ）／３となる。フィルタ回路３００にはＶ２ｉｎの電圧が入力され、合成インピーダンスＺ２、Ｚ３で分圧される。
【００２８】  図３Ｃでは、同電位が同じ高さに位置するように図示されている。図３Ｂに図示しているノードＡ〜Ｅは、図３ＣのノードＡ〜Ｅに対応する。それぞれ、ノードＡ、Ｂが同電位となり、ノードＣ、Ｄ、Ｅが同電位となり、ノードＦ、Ｇが同電位となる。入力電圧Ｖ２ｉｎに対するフィルタ回路３００の出力電圧Ｖ２ｆｉｌは、ノードＢ、Ｆ間の電圧Ｖ２ｆｉｌＵＺ、電圧Ｖ２ｆｉｌＬからノードＦ、Ｃ間の電圧Ｖ２ｆｉｌＬＺの合計値となる。
【００２９】  次に、任意の自然数となるＮ個の電池セルが直列に接続される組電池を備える電源装置１００に拡張して考える。組電池２００の最上位の電池セルから数えてｍ番目（ｍは１≦ｍ＜Ｎを満たす自然数）に位置する電池セルに着目して考えると、図３に例示されるように、フィルタ回路３００は、ｍ並列のＲＣ回路と（Ｎ−ｍ）並列のＲＣ回路の直列接続となる。各々のＲＣ回路の合成インピーダンスＺｍ、ＺＮ−ｍは、以下の数式で表すことができる。
【００３０】
【数２】
2015162937.tif 000004
【００３１】
【数３】
2015162937.tif 000005
フィルタ回路３００にはＶｍｉｎの電圧が入力され、合成インピーダンスＺｍ、ＺＮ−ｍで分圧される。各々の合成インピーダンスＺｍ、ＺＮ−ｍに対応する電圧ＶｍｆｉｌＵ、ＶｍｆｉｌＬは、次の式で表される。
【００３２】
【数４】
2015162937.tif 000006
【００３３】
【数５】
2015162937.tif 000007
同様にして、電圧ＶｍｆｉｌＵ、ＶｍｆｉｌＬは、抵抗値ＲとインピーダンスＺで分圧される。電圧Ｖ２ｆｉｌＵＺに対応する電圧ＶｍｆｉｌＵＺ、電圧Ｖ２ｆｉｌＬＺに対応する電圧ＶｍｆｉｌＬＺは、次の式で表される。
【００３４】
【数６】
2015162937.tif 000008
【００３５】
【数７】
2015162937.tif 000009
従って、フィルタ回路３００の入出力比は、数式４〜７から、次の数式で表される。数８で示すように、フィルタコンデンサ３６０のインピーダンスＺと、フィルタ抵抗３４０の抵抗値Ｒだけで表すことができる。
【００３６】
【数８】
2015162937.tif 000010
ここで、実際に数値がわかる回路定数で表記できるよう式変形を行う。Ｖｍｆｉｌは、実際には角周波数ωの関数Ｖｍｆｉｌ（ω）であり、数式１を使って式変形すると、次式が得られる。
【００３７】
【数９】
2015162937.tif 000011
【００３８】
【数１０】
2015162937.tif 000012
以上の通り、本発明の実施形態におけるフィルタ回路３００の入出力比は、フィルタ回路３００を構成するフィルタ抵抗３４０およびフィルタコンデンサ３６０の回路定数のみを用いて表されるωの関数で表現することができる（周波数応答）。
【００３９】  数式１０において、フィルタ回路３００の周波数応答は、ｍに依存しないことが明らかである。ｍが着目する電池セルの番号を表していることを考慮すると、数式１０からフィルタ回路３００の各々の出力の周波数応答が一致することが容易に理解できる。このように、図２に例示する本発明のある態様の実施形態によると、同一のキャパシタンスを有するフィルタコンデンサ３６０と、同一の抵抗値を有するフィルタ抵抗３４０を用いて、各々の出力の周波数応答が揃うフィルタ回路３００を構成することができる。
【００４０】  なお、上述の通り、本発明の主な目的は、標準化されている回路素子を用いながら、容易にフィルタ回路の出力の周波数応答を揃えることができる技術を提供することにある。従って、本発明における「同一」とは、厳密な意味での同一ではなく、ある程度の誤差を含んだ範囲を指すことは自明である。具体的には、同じ公称キャパシタンスのコンデンサであっても、製品のばらつきによって、実際のキャパシタンスは多少相違する。このような製品ばらつきに起因するキャパシタンスの相違があるコンデンサも、実質的に「同一」であるとみなし、本発明の範囲にあることは当業者に理解されるところである。
【００４１】  以上の電源装置の構成によると、共通ラインＢＬをグランドに接続する必要がないため、高電圧の電池システムに適用する場合には、適当な数の電池セルごとに組電池２００を構成し、各々の組電池２００に対してフィルタ回路３００を設けることができる。また、共通ラインＢＬをグランドに接続する必要がないので、任意の直列数の組電池を一つの単位としてまとめ、組電池ごとにフィルタ回路を設けることもできる。この構成によると、フィルタ回路３００を構成するフィルタコンデンサ３６０に印加される電圧を抑制できるので、比較的低耐圧のコンデンサ素子で、フィルタコンデンサ３６０を構成することができる。特に、高出力の電源装置では、電源装置の総電圧が２００〜３００Ｖとなる場合もあるが、本発明のフィルタ回路を採用することで、フィルタ回路３００を構成するコンデンサ素子に大電圧が印加されることを防止できる。
【００４２】  さらに、数式１０に示すとおり、本発明のフィルタ回路３００の周波数応答は、組電池２００を構成する電池セルの数に依らず、フィルタコンデンサ３６０のキャパシタンスと、フィルタ抵抗３４０の抵抗値によって決まるため、さまざまな直列数の組電池に対して、設計を変えることなく対応できる特徴がある。
【００４３】  また、図２の実施形態の構成では、フィルタ回路３００の各々の出力端子３２０間には、必ず二つのコンデンサ素子が直列に接続される構成となる。そのため、一方のコンデンサ素子がショート故障しても、フィルタ抵抗３４０を介した電池セルの放電を抑制することができる。
【００４４】  なお、上述の実施形態では、状態監視部４００は、複数のフィルタ回路３００の各々の出力が入力され、任意の出力を選択するスイッチ部４２０と、スイッチ部４２０が選択した出力が入力される差動増幅回路４４０と、アナログデジタル変換器４６０とを含む構成として例示したが、複数のアナログ入力をアナログデジタル変換できれば手段は問わない。例えば、状態監視部４００は、複数のフィルタ回路３００の各々の出力を複数のアナログデジタル変換器でデジタル信号に変換後、レベルシフト回路にて、デジタル信号を同一の電位レベルに変換する構成を採用することもできる。
【００４５】  以上、本発明を実施の形態をもとに説明した。これらの実施の形態は例示であり、それらの各々の構成要素や各々の処理プロセスの組合せにいろいろな変形例が可能なこと、またそうした変形例も本発明の範囲にあることは当業者に理解されるところである。
【符号の説明】
【００４６】  １００  電源装置、２００  組電池、３００  フィルタ回路、３１０  入力端子、３２０  出力端子、３４０  フィルタ抵抗、３６０  フィルタコンデンサ、４００  状態監視部、４２０  スイッチ部、４４０  差動増幅回路、４６０  アナログデジタル変換器、ＢＬ  共通ライン、ＤＬ  測定線。
【図１】
2015162937.tif 000013
【図２】
2015162937.tif 000014
【図３】
2015162937.tif 000015
【国際調査報告】
2015162937.tif 000016
2015162937.tif 000017